(57)【特許請求の範囲】
【請求項１】
被診断者の心電を測定する心電測定手段と、
前記被診断者に対する負荷試験を指示する指示手段と、
前記心電測定手段により測定された心電データに基づいて、心電図Ｒ−Ｒ間隔変動係数を算出するＣＶＲＲ算出手段と、
前記ＣＶＲＲ算出手段により算出された負荷試験後の心電図Ｒ−Ｒ間隔変動係数の値が、負荷試験前の心電図Ｒ−Ｒ間隔変動係数の値よりも小さい場合、精神疾患の可能性があると判定する判定手段と、
前記判定手段における判定結果を表示する表示手段と、
を備え、
前記判定手段は、精神疾患の可能性があると判定した場合に、前記ＣＶＲＲ算出手段により算出された負荷試験前の心電図Ｒ−Ｒ間隔変動係数が正常な範囲の下限値を下回った場合はうつ病の可能性があると判定する精神疾患診断装置。
【請求項２】
心電測定装置により測定された被診断者の心電データを受け付ける受付手段と、
前記被診断者に対する負荷試験を指示する指示手段と、
前記受付手段により受け付けた心電データに基づいて、心電図Ｒ−Ｒ間隔変動係数を算出するＣＶＲＲ算出手段と、
前記ＣＶＲＲ算出手段により算出された負荷試験後の心電図Ｒ−Ｒ間隔変動係数の値が、負荷試験前の心電図Ｒ−Ｒ間隔変動係数の値よりも小さい場合、精神疾患の可能性があると判定する判定手段と、
前記判定手段における判定結果を表示する表示手段と、
を備え、
前記判定手段は、精神疾患の可能性があると判定した場合に、前記ＣＶＲＲ算出手段により算出された負荷試験前の心電図Ｒ−Ｒ間隔変動係数が正常な範囲の下限値を下回った場合はうつ病の可能性があると判定する精神疾患診断装置。
【請求項３】
前記正常な範囲を被診断者の年齢に応じて設定する設定手段をさらに備えた請求項１または２記載の精神疾患診断装置。
【請求項４】
被診断者の心電を測定するステップと、
測定された心電データに基づいて、心電図Ｒ−Ｒ間隔変動係数を算出するステップと、
前記被診断者に対する負荷試験を指示するステップと、
負荷試験後の前記被診断者の心電を測定するステップと、
測定された負荷試験後の心電データに基づいて、心電図Ｒ−Ｒ間隔変動係数を算出するステップと、
算出された負荷試験後の心電図Ｒ−Ｒ間隔変動係数の値が、負荷試験前の心電図Ｒ−Ｒ間隔変動係数の値よりも小さい場合、精神疾患の可能性があると判定するステップと、
精神疾患の可能性があると判定された場合に、算出された負荷試験前の心電図Ｒ−Ｒ間隔変動係数が正常な範囲の下限値を下回った場合はうつ病の可能性があると判定するステップと、
判定結果を表示するステップと、
をコンピュータに実行させるための精神疾患診断プログラム。
【請求項５】
被診断者の心電データを受け付けるステップと、
受け付けた心電データに基づいて、心電図Ｒ−Ｒ間隔変動係数を算出するステップと、
前記被診断者に対する負荷試験を指示するステップと、
負荷試験後の心電データを受け付けるステップと、
受け付けた負荷試験後の心電データに基づいて、心電図Ｒ−Ｒ間隔変動係数を算出するステップと、
算出された負荷試験後の心電図Ｒ−Ｒ間隔変動係数の値が、負荷試験前の心電図Ｒ−Ｒ間隔変動係数の値よりも小さい場合、精神疾患の可能性があると判定するステップと、
精神疾患の可能性があると判定された場合に、算出された負荷試験前の心電図Ｒ−Ｒ間隔変動係数が正常な範囲の下限値を下回った場合はうつ病の可能性があると判定するステップと、
判定結果を表示するステップと、
をコンピュータに実行させるための精神疾患診断プログラム。
【請求項６】
前記正常な範囲を患者の年齢に応じて設定するステップをさらにコンピュータに実行させる請求項４または５記載の精神疾患診断プログラム。
【発明の詳細な説明】
【技術分野】
【０００１】
本発明は、精神疾患の有無を診断するための精神疾患診断装置およびプログラムに関する。
【背景技術】
【０００２】
現代社会では、社会環境に基づく様々なストレスが増加している。そのため、近年、うつ病や自律神経失調症のような精神的な疾患を抱える患者の増加が大きな社会問題となっている。
【０００３】
そして、このような精神的な疾患に陥ると、自律神経が正常に機能しなくなる機能障害が発生し、精神と身体に著しい苦悩をもたらし、怠学、失職、引きこもりなどの社会生活における甚大な支障をきたす恐れがある。また、年間３万人以上にものぼる自殺者の大半は精神疾患のひとつであるうつ病に罹患していたと推定されている。精神的な疾患を抱える患者は今後も増加が見込まれており、精神疾患を的確に診断し、速やかに治療する体制を確立することは、国民生活の向上につながり、社会全体の急務である
【０００４】
そのため、精神疾患の有無を診断する方法が求められている。一般的な精神疾患の診断方法では、患者の病歴を聴取し、心理行動面に表れる症状がいつからどのように出現し、社会生活や家庭生活の上でどのような支障が生じているのかを聞き取り、受診時の態度や会話内容などから判断するという方法で行われていた。しかし、このような方法では、十分な知識を有し、熟練した専門家による診断が必要であり、気軽に診断を受けることができないという問題があった。
【０００５】
また、簡便な方式としては、自己記入式の質問紙によるスクリーニング方法もあるが、患者の主観的に記入されるため、患者の性格による要因や体調不良などによる気分の落ち込みなどとうつ病を区別することができず、客観性が乏しいものであった。
【０００６】
そこで、例えば、特許文献１には、全血由来ＲＮＡに対して核酸固相化試料を用いた遺伝子解析を行うことによって客観的に精神疾患の診断を行う方法が開示されている。また、特許文献２には、遺伝子発現レベルを指標として対象者が精神疾患に罹患しているか否かを判定するという方法が開示されている。
【先行技術文献】
【特許文献】
【０００７】
【特許文献１】特開２００８−７９５３７号公報
【特許文献２】特開２００９−１１２２６６号公報
【発明の概要】
【発明が解決しようとする課題】
【０００８】
しかし、上述した従来技術による診断方法は、対象者の精神疾患の有無を診断するために対象者の遺伝子を採集して解析する等の多大な手間がかかる方法であり簡便に精神疾患の有無を診断するものではなかった。
【０００９】
本発明の目的は、客観的に、かつ、簡便に精神疾患の有無を診断することが可能な精神疾患診断装置およびプログラムに関する。
【課題を解決するための手段】
【００１０】
[精神疾患診断装置]
上記目的を達成するために、被診断者の心電を測定する心電測定手段と、
前記被診断者に対する負荷試験を指示する指示手段と、
前記心電測定手段により測定された心電データに基づいて、心電図Ｒ−Ｒ間隔変動係数を算出するＣＶＲＲ算出手段と、
前記ＣＶＲＲ算出手段により算出された負荷試験後の心電図Ｒ−Ｒ間隔変動係数の値が、負荷試験前の心電図Ｒ−Ｒ間隔変動係数の値よりも小さい場合、精神疾患の可能性があると判定する判定手段と、
前記判定手段における判定結果を表示する表示手段と、
を備えている。
【００１１】
本発明によれば、測定された被診断者の心電データに基づいて算出された負荷試験前後の心電図Ｒ−Ｒ間隔変動係数の値の大小の比較から精神疾患の有無を判定するため、客観的で、かつ、簡便に精神疾患の有無を診断を行うことができる。
【００１２】
また、本発明の他の精神疾患診断装置は、心電測定装置により測定された被診断者の心電データを受け付ける受付手段と、
前記被診断者に対する負荷試験を指示する指示手段と、
前記受付手段により受け付けた心電データに基づいて、心電図Ｒ−Ｒ間隔変動係数を算出するＣＶＲＲ算出手段と、
前記ＣＶＲＲ算出手段により算出された負荷試験後の心電図Ｒ−Ｒ間隔変動係数の値が、負荷試験前の心電図Ｒ−Ｒ間隔変動係数の値よりも小さい場合、精神疾患の可能性があると判定する判定手段と、
前記判定手段における判定結果を表示する表示手段と、
を備えている。
【００１３】
このような他の精神疾患診断装置によれば、精神疾患診断装置に受付手段を設けることで、心電データを測定する心電測定装置を設ける必要がなくなる。
【００１４】
さらに、本発明の他の精神疾患診断装置では、前記判定手段は、精神疾患の可能性があると判定した場合に、前記ＣＶＲＲ算出手段により算出された負荷試験前の心電図Ｒ−Ｒ間隔変動係数が正常な範囲の下限値を下回った場合はうつ病の可能性があると判定するようにしてもよい。
【００１５】
このような他の精神疾患診断装置によれば、精神疾患の可能性があると診断された場合、さらに、その精神疾患がうつ病であるか否かの診断を行うことができる。
【００１６】
さらに、本発明の他の精神疾患診断装置では、前記正常な範囲を被診断者の年齢に応じて設定する設定手段をさらに備えるようにしてもよい。
【００１７】
[プログラム]
また、本発明のプログラムは、被診断者の心電を測定するステップと、
測定された心電データに基づいて、心電図Ｒ−Ｒ間隔変動係数を算出するステップと、
前記被診断者に対する負荷試験を指示するステップと、
負荷試験後の前記被診断者の心電を測定するステップと、
測定された負荷試験後の心電データに基づいて、心電図Ｒ−Ｒ間隔変動係数を算出するステップと、
算出された負荷試験後の心電図Ｒ−Ｒ間隔変動係数の値が、負荷試験前の心電図Ｒ−Ｒ間隔変動係数の値よりも小さい場合、精神疾患の可能性があると判定するステップと、
判定結果を表示するステップと、
をコンピュータに実行させる。
【００１８】
また、本発明の他のプログラムは、被診断者の心電データを受け付けるステップと、
受け付けた心電データに基づいて、心電図Ｒ−Ｒ間隔変動係数を算出するステップと、
前記被診断者に対する負荷試験を指示するステップと、
負荷試験後の心電データを受け付けるステップと、
受け付けた負荷試験後の心電データに基づいて、心電図Ｒ−Ｒ間隔変動係数を算出するステップと、
算出された負荷試験後の心電図Ｒ−Ｒ間隔変動係数の値が、負荷試験前の心電図Ｒ−Ｒ間隔変動係数の値よりも小さい場合、精神疾患の可能性があると判定するステップと、
判定結果を表示するステップと、
をコンピュータに実行させる
【００１９】
さらに、本発明の他のプログラムでは、精神疾患の可能性があると判定された場合に、算出された負荷試験前の心電図Ｒ−Ｒ間隔変動係数が正常な範囲の下限値を下回った場合はうつ病の可能性があると判定するステップをさらにコンピュータに実行させるようにしてもよい。
【００２０】
さらに、本発明の他のプログラムでは、前記正常な範囲を患者の年齢に応じて設定するステップをさらにコンピュータに実行させるようにしてもよい。
【発明の効果】
【００２１】
以上、説明したように、本発明によれば、客観的に、かつ、簡便に精神疾患の有無を診断することが可能となるという効果を得ることができる。
【図面の簡単な説明】
【００２２】
【図１】本発明の一実施形態の精神疾患診断装置の構成を示すブロック図である。
【図２】本発明の一実施形態の精神疾患診断装置の動作を示すフローチャートである。
【図３】図１中の心電モニタ１４により測定された心電データの心電波形の一例を示す図である。
【図４】図１中の精神疾患判定処理部２６の動作を示すフローチャートである。
【図５】各年齢別におけるＣＶＲＲの正常な範囲の上限値、平均、下限値の一例を示す図である。
【図６】精神疾患の可能性がないと診断された場合の、図１中の表示装置２２に示される表示の一例を示す図である。
【図７】うつ病の可能性があると診断された場合の、図１中の表示装置２２に示される表示の一例を示す図である。
【図８】うつ病以外の精神疾患の可能性があると診断された場合の、図１中の表示装置２２に示される表示の一例を示す図である。
【発明を実施するための形態】
【００２３】
次に、本発明の実施の形態について図面を参照して詳細に説明する。図１は本発明の一実施形態の精神疾患診断装置の構成を示すブロック図である。
【００２４】
本実施形態の精神疾患診断装置は、図１に示されるように、被測定者の心電データを取得するための心電図モニタ１４と、制御装置１８と、記憶装置２０と、被診断者情報および診断結果を表示するための表示装置２２と、ＣＶＲＲ（Coefficient of Variation of R-R intervals：心電図Ｒ−Ｒ間隔変動係数）算出部２５と、精神疾患判定処理部２６とから構成されている。
【００２５】
心電図モニタ１４は、被診断者の例えば喉元にマイナス電極を、左脇腹にプラス電極を、右脇腹にボディアースをそれぞれ装着し、心臓の動きを電気信号として得て心電データとして記録する。
【００２６】
ＣＶＲＲ算出部２５は、心電図モニタ１４により測定された心電データに基づいて、ＣＶＲＲ（心電図Ｒ−Ｒ間隔変動係数）を算出する。このＣＶＲＲの具体的な算出方法については後述する。
【００２７】
精神疾患判定処理部２６は、ＣＶＲＲ算出部２５により算出された負荷試験前のＣＶＲＲと負荷試験後のＣＶＲＲを比較し、負荷試験後のＣＶＲＲが負荷試験前のＣＶＲＲより小さい場合に精神疾患の可能性があると判定する。さらに、精神疾患判定処理部２６は、精神疾患の可能性があると判定した場合には、負荷試験前のＣＶＲＲが正常なＣＶＲＲの範囲内であるかを検討し、算出されたＣＶＲＲが正常な範囲の下限値を下回った場合はうつ病の可能性があると判定し、算出されたＣＶＲＲが正常な範囲内であればうつ病以外の精神疾患（具体的には、認知症、パニック障害など）の可能性があると判定する。
【００２８】
制御部１８は、例えばコンピュータからなり、入力された被診断者の年齢に基づいて、ＣＶＲＲの正常な範囲の下限値を精神疾患判定処理部２６に設定し、被診断者の安静時のＣＶＲＲがＣＶＲＲ算出部２５により算出された後、被診断者に対して負荷試験を指示し、被診断者情報および精神疾患判定処理部２６によって得られた判定結果を記憶装置２０に記憶し、あるいは表示装置２２に表示する。
【００２９】
具体的には、制御装置１８は、まず、入力された被診断者の年齢に対応するＣＶＲＲの正常な範囲の下限値を精神疾患判定処理部２６に設定する。そして、精神疾患判定処理部２６がＣＶＲＲ算出部２５により被診断者の安静時のＣＶＲＲを受信したと判断すると、制御装置１８は、表示装置２２を介して被診断者に対して負荷試験として起立試験を行い、精神疾患判定処理部２６により得られた被診断者に精神疾患の可能性があるか否かおよび被診断者の精神疾患がうつ病であるか否かの判定結果を表示装置２２に表示する。
【００３０】
また、本実施形態では、制御装置１８は、被診断者に対して起立試験を行う構成であるが、本発明はこれに限定されるものではない。制御装置１８が行う負荷試験として、例えば、被診断者に対して深呼吸を行わせるような負荷試験や、被診断者に対して安静仰臥位から立ち上がらせるような負荷試験など、肉体的または精神的な負荷を被診断者に与える負荷試験であれば、起立試験以外の他の負荷試験を行うような場合でも、本発明は同様に適用可能である。
【００３１】
次に、本実施形態の精神疾患診断装置の動作を図２を参照して詳細に説明する。図２は本実施形態の精神疾患診断装置の動作を示すフローチャートである。
【００３２】
まず、初期設定として、診断が開始される前に、被診断者の氏名、年齢、ＩＤ番号、性別、既往歴（糖尿病、血管障害など）等の被診断者情報が制御装置１８に入力される。すると、制御装置１８は、被診断者の年齢に対応するＣＶＲＲの正常な範囲の下限値を精神疾患判定処理部２６に設定する（ステップＳ２０１）。
【００３３】
そして、診断が開始されると、心電図モニタ１４により被診断者の心電データの測定が行われる（ステップＳ２０２）。すると、ＣＶＲＲ算出部２５は、ＣＶＲＲ演算を行って、Ｒ−Ｒ間隔のばらつき度合いを示す指標であるＣＶＲＲを算出する（ステップＳ２０３）。そして、制御装置１８は、被診断者に対して起立指示を行い（ステップＳ２０４）、起立後の被診断者の心電データが再び心電図モニタ１４により測定され（ステップＳ２０５）、起立後の心電データに基づいてＣＶＲＲ算出部２５により起立後のＣＶＲＲが算出される（ステップＳ２０６）。
【００３４】
次に、精神疾患判定処理部２６は、ＣＶＲＲ算出部２５により算出された起立前のＣＶＲＲと起立後のＣＶＲＲおよびＣＶＲＲの正常な範囲に基づいて、被診断者の精神疾患の有無およびうつ病か否かを判定する（ステップＳ２０７）。
【００３５】
そして、精神疾患判定処理部２６により得られた診断結果は、制御装置１８により記憶装置２０に格納されるとともに表示装置２２に表示され（ステップＳ２０８）、診断が終了する。
【００３６】
次に、図２のステップＳ２０３およびステップＳ２０６に示したＣＶＲＲ演算方法の詳細について説明する。
ＣＶＲＲとは、心拍変動のばらつき度合いを示す指標であり、図３（Ｂ）およびその拡大図である図３（Ａ）に示した心電波形におけるＲ−Ｒ間隔（心電波形のＲ波の頂点の間隔）のばらつき度合いを示す係数である。このＣＶＲＲは、具体的には、下記のような式により算出される。
ＣＶＲＲ＝Ｒ−Ｒ間隔標準偏差／Ｒ−Ｒ間隔平均×１００（％）
【００３７】
ここで、Ｒ−Ｒ間隔標準偏差とは、例えば、１分間という所定期間や１００拍というような心拍の所定回数におけるＲ−Ｒ間隔の標準偏差である。また、Ｒ−Ｒ間隔平均とは、例えば、所定期間や心拍の所定回数におけるＲ−Ｒ間隔の平均である。
【００３８】
ＣＶＲＲ算出部２５は、上記のような式に基づいて、心電図モニタ１４により測定された心電データからＣＶＲＲを算出する。
【００３９】
次に、ＣＶＲＲと精神疾患の関連性について説明する。被診断者が正常な精神状態であれば、肉体的または精神的なストレス（負荷：本実施形態では起立試験）に対して自律神経反応により心拍数上昇などの変化を起こす。従って、心拍変動のばらつきが大きくなり、ストレスを与えた後のＣＶＲＲはストレスを与える前のＣＶＲＲよりも大きくなる。しかし、被診断者が精神疾患により自律神経が正常に働いていない場合、ストレスを与えられても自律神経反応がない。その結果、心拍変動のばらつきが少なく、ストレスを与えた後のＣＶＲＲがストレスを与える前のＣＶＲＲよりも小さくなる。また、被診断者がうつ病である場合には、定常的に自律神経反応が弱いため、起立後のＣＶＲＲが起立前のＣＶＲＲよりも小さくなるのに加えて、安静時ＣＶＲＲが正常な範囲より小さくなる。
【００４０】
上記のような理由により、起立試験前後のＣＶＲＲの変化および起立試験前のＣＶＲＲの値に基づいて、被診断者の精神疾患の有無、特にうつ病の有無の診断が可能となる。
【００４１】
次に、図２のステップＳ２０７に示した精神疾患判定処理部２６における判定処理の動作を図４を参照して詳細に説明する。図４は本実施形態の精神疾患判定処理部２６の動作を示すフローチャートである。
【００４２】
まず、精神疾患判定処理部２６は、ＣＶＲＲ算出部２５により算出された起立前のＣＶＲＲと起立後のＣＶＲＲを比較する（ステップＳ３０１）。そして、精神疾患判定処理部２６は、起立後のＣＶＲＲが起立前のＣＶＲＲよりも大きい場合、異常なしと判定し（ステップＳ３０２）、起立後のＣＶＲＲが起立前のＣＶＲＲよりも小さい場合、何らかの精神疾患の可能性があると判定する。次に、ステップＳ３０１において、精神疾患の可能性があると判定された際に、精神疾患判定処理部２６は、起立前のＣＶＲＲが制御装置１８により設定された正常な範囲の下限値と比較し（ステップＳ３０３）、起立前のＣＶＲＲが正常な範囲内であればうつ病以外の精神疾患の可能性があると判定し（ステップＳ３０４）、起立前のＣＶＲＲが正常な範囲の下限値を下回る場合はうつ病の可能性があると判定する（ステップＳ３０５）。
【００４３】
次に、各年齢別のＣＶＲＲの正常な範囲の一例を図５に示す。制御装置１８は、入力された被診断者の年齢に基づいて図５において対応するＣＶＲＲの正常な範囲を割り出し、精神疾患判定処理部２６における起立前のＣＶＲＲの正常な範囲の下限値を設定する。例えば、制御装置１８に入力された被診断者の年齢が２５歳である場合は、まず、制御装置２２は、精神疾患判定処理部２６のＣＶＲＲの正常な範囲の下限値を、図５における２０〜２９歳のＣＶＲＲの正常な範囲の下限である２．５（％）に設定する。そして、精神疾患判定部２６により、起立後のＣＶＲＲが起立前のＣＶＲＲよりも小さいと判定されると、起立前のＣＶＲＲが２．５（％）未満であればうつ病の可能性があると判定され、起立前のＣＶＲＲが２．５（％）以上であればうつ病以外の精神疾患の可能性があると判定される。
【００４４】
以上、説明した通り、本実施形態によれば、心電測定装置より得られた心電データに基づいてＣＶＲＲを算出し、被診断者の負荷試験前のＣＶＲＲと負荷試験後のＣＶＲＲの大小を比較し、さらに、負荷試験前のＣＶＲＲを被診断者の年齢に対応したＣＶＲＲの正常な範囲の下限値を下回るか否かを比較することで、客観的、かつ、簡便に被診断者の精神疾患の有無およびうつ病の可能性があるか否かを診断することが可能となる。
【００４５】
次に、本実施形態の精神疾患診断装置における表示装置２２の表示例を図６〜図８に示す。図６〜図８ではそれぞれ、図中の左から順に座位安静時における測定結果、起立直後における測定結果、起立してから１分経過後の立位における測定結果を表示している。
【００４６】
図６は、精神疾患判定処理部２６において異常なしと判定された場合の、表示装置２２における表示例である。図６では、制御装置１８に入力された被診断者の年齢が２５歳で、ＣＶＲＲ算出部２５により算出された起立前のＣＶＲＲが４．２（％）、起立後のＣＶＲＲが５．１(％)の場合であり、起立後のＣＶＲＲが起立前のＣＶＲＲよりも大きいため、表示装置２２には精神疾患の可能性がないことが表示されている。具体的には、表示装置２２では、画面上部に「精神疾患の可能性はありません。」という文字が表示され、画面下部にはＣＶＲＲの数字とグラフが表示される。なお、表示装置２２には、ＣＶＲＲの測定結果とともに、被診断者の心電データから得られた心拍数が表示されている。
【００４７】
同様にして、精神疾患判定処理部２６において、うつ病の可能性があると判定された場合、表示装置２２では、図７に示す表示がなされる。図７では、制御装置１８に入力された被診断者の年齢が３２歳で、ＣＶＲＲ算出部２５により算出された起立前のＣＶＲＲが２．０（％）、起立後のＣＶＲＲが１．８（％）であり、起立後のＣＶＲＲが起立前のＣＶＲＲよりも小さく、また、起立前のＣＶＲＲが図５における３０〜３９歳の正常な範囲の下限値である２．１（％）を下回っているため、うつ病の可能性があると表示されている。具体的には、精神疾患判定処理部２６においてうつ病の可能性があると診断されると、表示装置２２では、画面上部に「うつ病の可能性があります。」という文字が表示され、画面下部にはＣＶＲＲの数字とグラフが表示される。また、図７では、画面下部のＣＶＲＲのグラフにおいて、正常な範囲の下限値を下回るグラフが塗り潰されており、正常な範囲のＣＶＲＲのグラフとは異なる表示となっている。
【００４８】
また、うつ病以外の精神疾患の可能性があると判定された場合、表示装置２２では、図８に示す表示がなされる。図８では、制御装置１８に入力された被診断者の年齢が５１歳で、ＣＶＲＲ算出部２５により算出された起立前のＣＶＲＲが２．６（％）、起立後のＣＶＲＲが２．４（％）であり、起立後のＣＶＲＲが起立前のＣＶＲＲよりも小さいが、起立前のＣＶＲＲが図５における５０〜５９歳の正常な範囲の下限値である１．４（％）以上であるため、表示装置２２にはうつ病以外の精神疾患の可能性があると表示されている。具体的には、精神疾患判定処理部２６においてうつ病以外の精神疾患の可能性があると診断されると、表示装置２２では、画面上部に「その他の精神疾患の可能性があります。」という文字が表示され、画面下部にはＣＶＲＲの数字とグラフが表示されている。また、図８では、起立後のＣＶＲＲのグラフが塗り潰されており、起立前のＣＶＲＲとは異なる表示となっている。
【００４９】
[変形例]
なお、本実施形態では心電図データを測定するための心電モニタ１４が、本発明の精神疾患診断装置内部に設けられている場合を説明したが、本発明はこのような形態に限定されるものではない。心電図モニタ１４を設けることなく、精神疾患診断装置内部に外部からの心電図データを受け付けるための受付手段を設け、この受付手段が外部から受け付けた心電データからＣＶＲＲを算出するという構成にすることもできる。このような構成にすることにより、精神疾患診断装置は、心電モニタ１４のような心電測定装置を設ける必要がなくなる。
【符号の説明】
【００５０】
１４    心電図モニタ
１８    制御装置
２０    記憶装置
２２    表示装置
２５    ＣＶＲＲ算出部
２６    精神疾患判定処理部
Ｓ２０１〜Ｓ２０８    ステップ
Ｓ３０１〜Ｓ３０５    ステップ
【図１】
0005426502.tif 000002
【図２】
0005426502.tif 000003
【図３】
0005426502.tif 000004
【図４】
0005426502.tif 000005
【図５】
0005426502.tif 000006
【図６】
0005426502.tif 000007
【図７】
0005426502.tif 000008
【図８】
0005426502.tif 000009